(57)【要約】【課題】給紙ローラ表面及び用紙の表裏面に付着する異物を除去すること。【解決手段】積層された用紙２を繰り出す給紙ローラ３と、前記給紙ローラ３より下流側に配置され前記給紙ローラ３により繰り出された用紙を挟持して搬送する一対の搬送ローラ対２０１、２０７と、前記一対の搬送ローラ２０１、２０７に付着した異物を除去する複数の異物除去部材２１１、２１２とを備えた構成としたことにより、用紙の裏表の付着物を除去することができる。【選択図】図２
2005206311.tif 000002
【特許請求の範囲】
【請求項１】
積層された用紙を繰り出す給紙ローラと、前記給紙ローラより下流側に配置され前記給紙ローラにより繰り出された用紙を挟持して画像処理部へ搬送する一対の搬送ローラ対と、前記一対の搬送ローラの各々に付着した異物を除去する異物除去手段とを備えたことを特徴とする給紙装置。
【請求項２】
前記一対の搬送ローラ対は、回転軸が弾性部材からなる第一のローラと、前記第一のローラに対向配置され前記第一のローラに従動回転する樹脂部材からなる第二のローラとから構成されることを特徴とする請求項１記載の給紙装置。
【請求項３】
前記異物除去手段は前記第一のローラ表面に付着した異物を除去する第一の異物除去部材と、前記第二のローラ表面に付着した異物を除去する第二の異物除去部材とから構成されることを特徴とする請求項２記載の給紙装置。
【請求項４】
前記第一の異物除去部材は、前記第一のローラに接触従動回転する異物除去ローラと、前記異物除去ローラに接触摺動して前記異物除去ローラを帯電させる第一の摩擦帯電部材とから構成され、前記第二の異物除去部材は、前記第二のローラに接触摺動して前記第二のローラを帯電させる第二の摩擦帯電部材からなることを特徴とする請求項３記載の給紙装置。
【請求項５】
前記第二の異物除去部材を装置本体に開閉自在に取り付けられた第一のカバー部に設けたことを特徴とする請求項３または４記載の給紙装置。
【請求項６】
前記第一の摩擦帯電部材及び前記第二の摩擦帯電部材近傍に前記第一のローラ及び第二のローラ表面から除去した異物を収納する複数の異物収納部を設けたことを特徴とする請求項４記載の給紙装置。
【請求項７】
前記第一の摩擦帯電部材は、前記第一のローラに接触従動回転する第二のローラ部に対して離接可能となるよう装置本体に回動自在に取り付けられた第二のカバー部に設けたことを特徴とする請求項４記載の給紙装置。
【請求項８】
前記第二のローラまたは前記異物除去ローラをポリプロピレン樹脂にて構成したことを特徴とする請求項２、３、４、６または７記載の給紙装置。
【請求項９】
前記第一および第二の摩擦帯電部材がウレタンフォームであること特徴とする請求項４または６記載の給紙装置。
【請求項１０】
前記画像処理部は、用紙上に画像を記録する画像記録部であることを特徴とする請求項１記載の給紙装置。
【請求項１１】
前記画像処理部は、用紙上に記録された画像を読み取る画像読取部であることを特徴とする請求項１記載の給紙装置。
【発明の詳細な説明】
【技術分野】
【０００１】
本発明は、印字装置や画像読取装置に用いられる給紙装置に関する。
【背景技術】
【０００２】
印字装置や画像読取装置等において、用紙や原稿等を供給する手段として、用紙等を給紙するための給紙装置が使用される。このような給紙装置においては、給紙される用紙の表面に埃、塵、砂等の付着物が付着していると、これらの付着物が、搬送ローラに付着することがある。そして、これらの付着物により搬送ローラが汚れ、用紙と搬送ローラの間で滑りが発生し、ジャムや給紙ミス発生の原因となる。また、画像読取においては、ＣＩＳ等の密着型センサを使用して用紙上の画像を読み取る場合があるが、用紙に付着した付着物が密着型センサの表面のコンタクトガラスに擦りつけられると、コンタクトガラス上に傷を生じる場合がある。このように、コンタクトガラスに傷が付くと、読み取り画像に白い線となって現れ、画質の低下を招く。そこで、このような給紙装置においては、用紙の表面に付着する付着物を除去する機構が必要とされ、従来、給紙装置における異物除去を行う方法として、例えば下記に説明するような構造のものがあった。
【０００３】
以下、従来の給紙装置の異物除去機構について説明する。
【０００４】
図５は、従来の給紙装置における異物除去を行う機構を示す図である。
【０００５】
この異物除去機構は、樹脂製ローラ６０６と摩擦帯電部材６０７と回収した異物を収容する回収部６０８とから構成され、用紙６０１上の異物を除去するものである。
【０００６】
このように構成された従来の異物除去のプロセスについて説明する。
【０００７】
用紙６０１を給紙部６０２から転写部６０３に搬送する搬送ローラ６０４と対になり、感光ドラム６０５と同一側にある樹脂製ローラ６０６に、摩擦帯電部材６０７を接触させ、樹脂製ローラ６０６を帯電させる事により、用紙６０１上の異物を樹脂製ローラ６０６に付着させ、付着した異物を回収部６０８に回収するものである。
【０００８】
また、付着物を除去する別の機構を備えた他の従来の給紙装置としては、原稿読み取り部の上流側にクリーニング部材を設けた給紙装置が知られている（例えば、特許文献１〜６参照）。
【０００９】
（特許文献１及び２）に開示の給紙装置は、布、スポンジ等のクリーニング部材を、原稿搬送路内に突出させて、原稿の一面とクリーニング部材とが摺接するように構成されている。このように、クリーニング部材が原稿の一面と摺接することで、原稿表面に付着した付着物が拭き落とされる。
【００１０】
また、（特許文献３）に開示の給紙装置は、原稿載置台と原稿読み取り部に原稿を搬入する原稿搬入手段との間に、原稿を案内する案内部材及び集塵箱を具備する集塵装置を備えた構成とされている。そして、原稿案内部材には、原稿の搬送方向に対して１０〜４５度の角度の傾斜を持つ多数の溝孔が形成されている。この構成により、原稿案内部材上を摺動搬送される原稿に付着する付着物が、溝孔の縁部によって掃き落とされ、集塵箱に落下して回収される。
【００１１】
更に（特許文献４）に開示の給紙装置は、手差しトレイの用紙搬送路を構成する上ガイ
ド板から下ガイド板に向けて、プラスチック製フィルム、フエルト、ブラシ部材等の垂下部材を配置したものである。これにより、用紙の上に乗っている転動しやすいものが用紙搬送路に入り込むことを防止している。
【００１２】
そして（特許文献５，６）に開示の給紙装置は、用紙搬送路の入り口付近に、ブラシを配設した構成とされている。このように、ブラシを配設することで、原稿表面の塵埃が掃き落とされる。
【特許文献１】特開２００１−１９２０１号公報
【特許文献２】特開２００１−２７８４８７号公報
【特許文献３】特開昭５８−１０４５６３号公報
【特許文献４】特開平１−１３９２５２号公報
【特許文献５】特開２００２−３６２７５４号公報
【特許文献６】実開平２−９９６５８号公報
【発明の開示】
【発明が解決しようとする課題】
【００１３】
しかしながら、図５に示すような給紙装置では、装置６００内に設置されている搬送ローラ６０４や給紙ローラ６０９と用紙６０１が接触する事によって発生する異物までもは除去する構成とはなっていなかった。また、用紙の裏面（転写ローラ６１０側）上にもともと付着している異物を除去しない為、転写ローラ６１０が異物によって汚れ、その異物が感光ドラム６０５に付着し、印字上の黒スジや汚れという印字品質の劣化が発生するという問題があった。更に、用紙の搬送枚数が増加するにつれて、搬送ローラ６０４に付着した異物によって、搬送ローラ６０４の表面摩擦力が低下するため給紙ミスが発生する問題があった。そのため、この搬送ローラ６０４上の異物を樹脂製ローラ６０６によって除去する事も可能であるが、高速のシート給送装置においては、用紙間隔が短い為に、搬送ローラ６０４と樹脂製ローラ６０６が接する時間が短く、十分な異物除去が得られず、用紙搬送不良が発生するので、その為、ユーザーが定期的に搬送ローラ６０４を清掃しなければならないという問題点を有していた。
【００１４】
即ち、給紙装置において、印字面側に設置されているローラだけに異物除去装置を設置しても、十分な異物除去ができないと共に、搬送ローラ６０４上に付着した異物が除去できないので、搬送ローラ６０４の搬送力を回復させる為に搬送ローラ６０４を清掃しなければならないのである。
【課題を解決するための手段】
【００１５】
本発明は、上記課題を解決するために、積層された用紙を繰り出す給紙ローラと、給紙ローラより下流側に配置され給紙ローラにより繰り出された用紙を挟持して画像処理部へ搬送する一対の搬送ローラ対と、前記一対の搬送ローラの各々に付着した異物を除去する異物除去手段とを備えた構成としたものである。
【００１６】
これにより、画像処理部と給紙ローラとの間に設置される一対の搬送ローラの各々に付着した紙粉などの異物や用紙の表裏面の付着した異物を取り除くことが出来るので、画像処理部での印字品質、画像読取精度等を向上させることが可能になる。
【発明の効果】
【００１７】
本発明によれば、積層された用紙を繰り出す給紙ローラと、前記給紙ローラより下流側に配置され前記給紙ローラにより繰り出された用紙を挟持して画像処理部へ搬送する一対の搬送ローラ対と、前記一対の搬送ローラの各々に付着した異物を除去する異物除去手段とを備えたものであって、搬送ローラの各々に付着した異物を除去すると共に、用紙の裏表の付着物を除去することにより、紙づまりを防止し、印字品質、画像読取精度等を向上
させることができるという効果が得られる。
【発明を実施するための最良の形態】
【００１８】
本発明の請求項１記載の発明は、積層された用紙を繰り出す給紙ローラと、給紙ローラより下流側に配置され給紙ローラにより繰り出された用紙を挟持して画像処理部へ搬送する一対のローラ対からなる搬送ローラ対と、一対の搬送ローラの各々に付着した異物を除去する異物除去手段とを備えた給紙装置であって、用紙の両面を挟持する一対の搬送ローラの両方それぞれに異物除去手段を配置したので、一対の搬送ローラの各々の表面に付着した異物を除去することができるという作用を有する。
【００１９】
本発明の請求項２記載の発明は、請求項１記載の発明において、一対の搬送ローラ対は、回転軸が弾性部材からなる第一のローラと、第一のローラに対向配置され第一のローラに従動回転する樹脂部材からなる第二のローラとから構成される給紙装置であって、第一のローラ及び第二のローラの表面を所定の弾性力を圧接させるので、用紙の表裏の付着物をこの圧接により確実に除去できるという作用を有する。
【００２０】
本発明の請求項３記載の発明は、請求項２に記載の発明において、異物除去手段は第一のローラ表面に付着した異物を除去する第一の異物除去部材と、第二のローラ表面に付着した異物を除去する第二の異物除去部材とから構成される給紙装置であって、第一のローラと第二のローラの両方に異物除去部材を設けたので、用紙の表裏面の付着物を取り除くことができるという作用を有する。
【００２１】
本発明の請求項４記載の発明は、請求項３記載の発明において、第一の異物除去部材は、第一のローラに接触従動回転する異物除去ローラと、異物除去ローラに接触摺動して異物除去ローラを帯電させる第一の摩擦帯電部材とから構成され、第二の異物除去部材は、第二のローラに接触摺動して第二のローラを帯電させる第二の摩擦帯電部材からなる給紙装置であって、第一のローラ及び第二のローラの表面に付着した異物を静電気によって吸着するので、ローラの表面に付着した異物を確実に除去できるという作用を有する。
【００２２】
本発明の請求項５記載の発明は、請求項３または４記載の発明において、第二の異物除去部材を装置本体に開閉自在に取り付けられた第一のカバー部に設けた給紙装置であって、カバー部を開閉することにより用紙搬送路を開放できるので、異物回収部の清掃を簡単に行うことができるという作用を有する。
【００２３】
本発明の請求項６記載の発明は、請求項４記載の発明において、第一の摩擦帯電部材及び第二の摩擦帯電部材近傍に第一のローラ及び第二のローラ表面から除去した異物を収納する複数の異物収納部を設けた給紙装置であって、各ローラ表面の除去した異物を異物収納部に収納するので、除去した異物が散乱することを防止できるという作用を有する。
【００２４】
本発明の請求項７記載の発明は、請求項４記載の発明において、第一の摩擦帯電部材は、前記第一のローラに接触従動回転する第二のローラに対して離接可能と成るよう前記装置本体に回動自在に取り付けた第二のカバー部に取り付けた給紙装置であって、カバー部を開閉することにより用紙搬送路を開放できるので、異物回収部の清掃を容易に行うことができるという作用を有する。
【００２５】
本発明の請求項８記載の発明は、請求項２、３、４、６または７記載の発明において、第二のローラまたは異物除去ローラをポリプロピレン樹脂にて構成した給紙装置であって、ローラを帯電性の良い材質で構成したので、異物除去に十分必要な静電気がローラへ帯電できるという作用を有する。
【００２６】
本発明の請求項９記載の発明は、請求項４または６記載の発明において、第一および第二の摩擦帯電部材がウレタンフォームである給紙装置であって、摩擦帯電部性の良い部材で帯電させるので、異物除去に十分必要な静電気をローラに帯電させることができるという作用を有する。
【００２７】
本発明の請求項１０記載の発明は、請求項１記載の発明において、画像処理部は、用紙上に画像を記録する画像記録部である給紙装置であって、用紙の表裏面に付着した異物を除去することで、搬送ローラに異物が付着しないので、紙づまり、給紙ミスを防止できるという作用を有する。
【００２８】
本発明の請求項１１記載の発明は、請求項１記載の発明において、画像処理部は、用紙上に記録された画像を読み取る画像読取部である給紙装置であって、用紙の表裏面に付着した異物を除去することで、密着センサ等の表面に傷が付くことを防止できるので、読み取り画像の画質の向上を図ることができるという作用を有する。
【００２９】
以下、本発明の実施の形態について図１から図５を用いて説明する。なお、これらの図面において同一の部材には、同一の符号を付しており、また重複さした説明は省略されている。
【００３０】
（実施の形態１）
図１は、本発明の一実施の形態における給紙装置を備えたレーザプリンタの構成図、図２は、図１のレーザープリンタの給紙部が有する異物除去手段の構成図、図３は、図２の異物除去手段が有する異物回収部を示す斜視図、図４（ａ）は、図２の異物除去手段を給紙ローラ部に組み込む際の分解斜視図、図４（ｂ）は、図２の異物除去手段を給紙ローラ部に組み込んだ側面図である。
【００３１】
まず図１のレーザプリンタにおいて、１は用紙収納部としてのカセットで、カセット１にセットされた用紙２は、後述する給紙ローラ３と分離パッド４により１枚ずつ分離され、搬送ローラ５、レジストローラ６などから成る用紙搬送部を経て画像形成部としての記録部である感光ドラム７に対向する位置へ到達する。レーザ書込み装置８により感光ドラム７上に潜像を形成し、現像器９により、この潜像をトナーにより可視化して、転写ローラ１０により用紙２上に転写し、その後、定着器１１に搬送してトナーの可視像を定着させる。その後、用紙２は排紙ローラ１２を経て排紙トレイ１３に排紙される。両面印字の際は、用紙２が排紙ローラ１２上にある時に、排紙ローラ１２を逆回転させ、用紙２を搬送ローラ１４、１５にて再度レジストローラ６に搬送し、用紙２の裏面に印字を行う。また、用紙２が厚紙の場合には、手差しガイド１６より給紙し、排紙トレイ１７に排紙する。
【００３２】
次に図２において、本発明の一実施の形態である給紙部２００が備える異物除去手段としての異物除去装置２１３（以下、異物除去装置２１３と記載）について説明する。ここで、異物とは、用紙と搬送部材等の摩擦により発生する紙粉や、用紙表面に付着した塵等をさすものである。図示するように、異物除去装置２１３は、搬送ローラ２０１、異物除去ローラ２０２、第一の摩擦帯電部材２０３、第一の異物回収部２０４、弾性部材２０６、第二のローラ２０７、第二の摩擦帯電部材２０８、第二の異物回収部２０９、弾性部材２１０、とから構成される。２０１は給紙ローラ３と分離パッド４によって分離給紙された用紙２を挟持して搬送する第一のローラとしての搬送ローラ２０１でありゴム弾性部材で構成され図示しない駆動軸によって回転駆動可能に軸支されている。２０７は搬送ローラ２０１に従動回転するポリプロピレン樹脂（ＰＰ）部材から構成された第二のローラとしての従動搬送ローラである。２０２は、従動搬送ローラ２０７と同じ材質の樹脂部材から成る異物除去ローラで、搬送ローラ２０１の周面に摺接して回動自在に保持された樹脂
部材のローラ、２０３は、異物除去ローラ２０２の外周面に摺接し、異物除去ローラ２０２を帯電させ静電気力を発生させるウレタンフォームからなる第一の摩擦帯電部材である。ここで、第二のローラ２０７及び樹脂部材の異物除去ローラ２０２は、本発明の実施の形態に限らず、ポリプロピレン樹脂以外で構成しても良い。この異物除去ローラ２０２と第一の摩擦帯電部材２０３で第一の異物除去部材２１１を構成している。これにより、異物除去ローラ２０２が第一の摩擦帯電部材２０３により帯電されることにより用紙２の裏面に付着した異物を除去すること可能となる。また、２０４は、異物除去ローラ２０２の静電気力で搬送ローラ２０１から除去した異物を回収収納する第一の異物回収部である。２０５は、第一の摩擦帯電部材２０３を装着し、異物除去ローラ２０２に離接可能となるようにレーザープリンタ本体に開閉自在に取り付けられた第二のカバー部で異物回収部２０４の蓋を兼用した構成となっている。２０６は、異物除去ローラ２０２を搬送ローラ２０１に圧接させる為の弾性部材２０６である。２０８は、従動搬送ローラ２０７の外周に接触し、従動搬送ローラ２０７を摩擦帯電する第二の摩擦帯電部材で第一の摩擦帯電部材２０３と同一材料のウレタンフォームでできている。この第二の摩擦帯電部材２０８が第二の異物除去部材２１２を構成している。従って、従動搬送ローラ２０７は第二の摩擦帯電部材で摩擦帯電されることにより静電気力を有し、用紙２の表面に付着した異物を除去することが可能となる。ここで、上述の第一，第二の摩擦帯電部材２０３と２０８は、良好に摩擦帯電できるものであればウレタンフォーム以外の材質のものでも良い。また、２０９は従動搬送ローラ２０７にて除去した異物を回収する第二の異物回収部である。２１０は、従動搬送ローラ２０７を搬送ローラ２０１に圧接させる為の弾性部材である。３００は、レーザープリンタ本体外装に開閉自在に取り付けられ矢印Ａ方向に開閉されることにより、用紙搬送路を開放する第一のカバー（以下、フロントカバーと記載）としてのフロントカバーで、従動搬送ローラ２０７及び第二の摩擦帯電部材２０８が取り付けられていると共に第二の異物回収部２０９が形成されている。
【００３３】
次に、搬送ローラ２０１表面と用紙２の表裏に付着した異物の回収プロセスについて説明する。
【００３４】
用紙２の表裏面には、用紙２にもともと付着している異物と、給紙ローラ３や分離部材４と接する事により用紙２の表裏面に発生した異物(例えば、紙粉等)が存在する。この用紙２が給紙ローラ３によって搬送ローラ５（搬送ローラ２０１と従動搬送ローラ２０７で構成）に搬送され、搬送ローラ２０１と従動搬送ローラ２０７の間を通過する。その際、用紙２の印字面（一方の面）に付着していた異物は、第二の摩擦帯電部材２０８によって帯電している従動搬送ローラ２０７に付着し、第二の摩擦帯電部材２０８によってかき落とされ第二の異物回収部２０９に回収される。また、用紙２の非印字面（他方の面）に付着していた異物は、搬送ローラ２０１の表面に付着する。この付着した異物は、第一の摩擦帯電部材２０３によって帯電している異物除去ローラ２０２に吸着され、第一の摩擦帯電部材２０３によってかき落とされ第一の異物回収部２０４に回収される。
【００３５】
ここで、図３を用いて、異物回収部について説明する。
【００３６】
図３は図２のフロントカバー３００を開放した状態（図３ではフロントカバー３００は図示せず）で用紙搬送路が開放された状態を示している。図示するように、異物回収部のカバー部材２０５は、装置本体に構成された回転支点部３０１を支点に矢印Ｂ方向及びＣ方向へ開閉し、第一の異物回収部２０４に回収された異物を清掃することができるよう構成されている。
【００３７】
なお、上記実施の形態では、異物の発生が多い、用紙２の中央部のみに設置した搬送ローラ５の異物除去機構について説明をおこなったが、本発明はこれに限定されるものでは無く、用紙２の幅よりも異物除去ローラ２０２の幅等を大きくする事により、用紙２の端
部に付着した異物も除去する事が可能になる。また、図４（ａ）及び（ｂ）に示す様に、異物除去ローラ５０１、摩擦帯電部材５０２、弾性部材５０３、異物回収部５０４にて構成される第一の異物除去部を給紙ローラ３に設置する事により、給紙ローラ３の異物付着による搬送力の低下を防止することができ、給紙ローラ３の表面の清掃作業を省略する事がでる。
【００３８】
なお、本発明の実施の形態において、用紙上に画像の記録を行うプリンタを例に取り説明したが、画像形成部として画像読取り部を有したコピー機やスキャナーなどの原稿搬送にも適用できることは言うまでも無い。コピー機やプリンタ等のシート給送装置における読み取り原稿の用紙や印刷用の用紙を給紙するための給紙部、用紙搬送機構に本発明は広く活用できる。
【産業上の利用可能性】
【００３９】
本発明は、印字装置や画像読取装置に用いられる給紙装置に関する。
【図面の簡単な説明】
【００４０】
【図１】本発明の一実施の形態における給紙装置を備えたレーザプリンタの構成図
【図２】図１のレーザープリンタの給紙部が有する異物除去手段の構成図
【図３】図２の異物除去手段が有する異物回収部を示す斜視図
【図４】（ａ）図２の異物除去手段を給紙ローラ部に組み込む際の分解斜視図、（ｂ）図２の異物除去手段を給紙ローラ部に組み込んだ側面図
【図５】従来の給紙装置における異物除去を行う機構を示す図
【符号の説明】
【００４１】
２    用紙
３    給紙ローラ
４    分離パッド
５    搬送ローラ
２０１    第一のローラ（搬送ローラ）
２０２    異物除去ローラ
２０３    第一の摩擦帯電部材
２０４    第一の異物回収部
２０５    第二のカバー部
２０６    弾性部材
２０７    第二のローラ（従動搬送ローラ）
２０８    第二の摩擦帯電部材
２０９    第二の異物回収部
２１０    弾性部材
２１１    第一の異物除去部材
２１２    第二の異物除去部材
２１３    異物除去装置（異物除去手段）
３００    フロントカバー（第一のカバー部）
【図１】
2005206311.tif 000003
【図２】
2005206311.tif 000004
【図３】
2005206311.tif 000005
【図４】
2005206311.tif 000006
【図５】
2005206311.tif 000007